(57)【要約】【課題】ブレーカを操作することなく、１００Ｖ用コンセントおよび２００Ｖ用コンセントへの給電をオンまたはオフすることができる開閉装置を提供すること。【解決手段】本発明の開閉装置２は、単相３線式の３線５が接続される３つの入力端子６ａ〜６ｃを有する入力部６と；前記入力部６の前記３つの入力端子３ａ〜３ｃに接続された前記単相３線式の３線５により得られる１００Ｖおよび２００Ｖをそれぞれ出力する出力端子７ａ１〜７ｂ２を有する出力部７と；前記入力部６と前記出力部７との間に接続され、前記出力部７からの前記１００Ｖおよび２００Ｖの出力を、同時にオンまたはオフするスイッチ部８と；を有している。【選択図】図１
2011070909.tif 000002
【特許請求の範囲】
【請求項１】
単相３線式の３線が接続される３つの入力端子を有する入力部と；
前記入力部の前記３つの入力端子に接続された前記単相３線式の３線により得られる１００Ｖおよび２００Ｖを出力する出力部と；
前記入力部と前記出力部との間に接続され、前記出力部からの前記１００Ｖおよび２００Ｖの出力を、同時にオンまたはオフするスイッチ部と；
を具備したことを特徴とする開閉装置。
【請求項２】
前記単相３線式の３線は、接地極線と、第１の電源極線と、第２の電源極線とを有し、
前記スイッチ部は、
オンした場合に、前記接地極線と前記第１の電源極線とにより前記１００Ｖを前記出力部に出力させ、前記第１の電源極線と前記第２の電源極線とにより前記２００Ｖを前記出力部に出力させるものであって、
少なくとも前記第１の電源極線の導通状態をオンまたはオフするスイッチであることを特徴する請求項１に記載の開閉装置。
【発明の詳細な説明】
【技術分野】
【０００１】
本発明は、ブレーカからの単相３線式の３線を接続して、１００Ｖおよび２００Ｖの出力をオンまたはオフすることのできる開閉装置に関する。
【背景技術】
【０００２】
従来より、屋内或いは屋外には、１００Ｖ用コンセントが配設されている。また、電気機器の使用用途によっては、２００Ｖ用コンセントが屋内或いは屋外に配設されることもある。
【０００３】
１００Ｖ用コンセントおよび２００Ｖ用コンセントは、通常、屋内に設けられた分電盤内のブレーカから導出される別々の接続線にそれぞれ接続されている。この分電盤内のブレーカには、電源供給源からの単相３線式の３線が接続されている。そして、このブレーカは、一方の接続線を介して１００Ｖ用コンセントに１００Ｖの出力を供給し、他方の接続線を介して２００Ｖ用コンセントに２００Ｖの出力を供給するようになっている。
【０００４】
このような１００Ｖ用コンセントおよび２００Ｖ用コンセントを有する従来技術しては、例えば、特許文献１および特許文献２に記載のものがある。  
特許文献１に記載のコンセントは、共通のコンセント器体に、単相３線式の３線に接続する２００Ｖ用受口と、単相３線式の２線に接続する１００Ｖ用受口とを設けて構成したことにより、１００Ｖ用、２００Ｖ用のいずれの電気機器を設置する場合もそのまま対応することを可能にしている。
【０００５】
また、特許文献２に記載の分電盤は、単相３線式の３線が接続され、１００Ｖと２００Ｖを選択的に切り換えて１００Ｖ用コンセント或いは２００Ｖ用コンセントへの出力を行う電源接続部と、この電源接続部と前記１００Ｖ用コンセントおよび２００Ｖ用コンセントとの間の回路を遮断する回路遮断部とを有して構成したことにより、１００Ｖ用コンセントと２００Ｖ用コンセントへの給電の切換を可能にしている。
【先行技術文献】
【特許文献】
【０００６】
【特許文献１】特開２００１−３１９７４４号公報
【特許文献２】特開２００６−２５３１５８号公報
【発明の概要】
【発明が解決しようとする課題】
【０００７】
しかしながら、特許文献１および特許文献２に記載の従来技術では、いずれの構成もブレーカを介して１００Ｖ用コンセントおよび２００Ｖ用コンセントにそれぞれ給電するため、盗電や、１００Ｖ用コンセントおよび２００Ｖ用コンセントへの異物の差込等による短絡を防止するためには、ブレーカ自体を切っておく必要がある。
【０００８】
つまり、前記特許文献１および特許文献２に記載の従来技術は、ブレーカを操作しなくては、１００Ｖ用コンセントおよび２００Ｖ用コンセントへの給電をオンまたはオフすることができないといった不都合があった。
【０００９】
そこで、本発明は上述した事情に鑑みてなされたもので、ブレーカを操作することなく、１００Ｖ用コンセントおよび２００Ｖ用コンセントへの給電をオンまたはオフすることができる開閉装置を提供することを目的とする。
【課題を解決するための手段】
【００１０】
本発明の請求項１に係る開閉装置は、単相３線式の３線が接続される３つの入力端子を有する入力部と；前記入力部の前記３つの入力端子に接続された前記単相３線式の３線により得られる１００Ｖおよび２００Ｖを出力する出力部と；前記入力部と前記出力部との間に接続され、前記出力部からの前記１００Ｖおよび２００Ｖの出力を、同時にオンまたはオフするスイッチ部と；を具備している。
【００１１】
本発明の請求項２に係る開閉装置は、請求項１に記載の開閉装置において、前記単相３線式の３線は、接地極線と、第１の電源極線と、第２の電源極線とを有し、前記スイッチ部は、オンした場合に、前記接地極線と前記第１の電源極線とにより前記１００Ｖを前記出力部に出力させ、前記第１の電源極線と前記第２の電源極線とにより前記２００Ｖを前記出力部に出力させるものであって、少なくとも前記第１の電源極線の導通状態をオンまたはオフするスイッチであることを特徴する。
【００１２】
請求項１および請求項２に記載の開閉装置において、前記開閉装置は、前記スイッチ部と、前記出力部により１００Ｖおよび２００Ｖが出力される１００Ｖ用コンセントおよび２００Ｖ用コンセントとが別体、或いは一体的に構成されている。
【発明の効果】
【００１３】
請求項１の発明による開閉装置によれば、ブレーカを操作することなく、１００Ｖ用コンセントおよび２００Ｖ用コンセントへの給電をオンまたはオフすることができる。
【００１４】
請求項２の発明による開閉装置によれば、請求項１と同様の作用・効果が得られる他に、１００Ｖ用コンセントおよび２００Ｖ用コンセントへの給電を同時にオンまたはオフすることができる。  
【図面の簡単な説明】
【００１５】
【図１】本発明の開閉装置の一実施例に係り、該開閉装置を含む配線システムの一例を示すブロック図。
【発明を実施するための最良の形態】
【００１６】
以下、図面を参照して本発明の実施例について説明する。  
図１は、本発明の開閉装置の一実施例に係り、該開閉装置を含む配線システムの一例を示すブロック図である。
【００１７】
図１に示すように、配線システム１は、開閉装置２と、ブレーカ３と、１００Ｖ用コンセント４Ａおよび２００Ｖ用コンセント４Ｂを有するコンセント本体４とを有して構成される。
【００１８】
ブレーカ３は、３つの入力端子３ａ、３ｂ、３ｃと、３つの出力端子３ｘ、３ｙ、３ｚと、前記入力端子３ａ、３ｂ、３ｃと前記３つの出力端子３ｘ、３ｙ、３ｚとの間に接続された回路遮断部３Ａとを有して構成される。
【００１９】
ブレーカ３の前記３の入力端子３ａ、３ｂ、３ｃには、電源供給源からの単相３線式の３線５が接続される。  
単相３線式の３線５は、接地極線５ａと、第１の電源極線５ｂと、第２の電源極線５ｃとを有して構成される。例えば、前記入力端子３ａには接地極線５ａが接続され、前記入力端子３ｂには第１の電源極線５ｂが接続され、前記入力端子３ｃには第２の電源極線５ｃが接続される。
【００２０】
回路遮断部３Ａは、前記前記入力端子３ａ、３ｂ、３ｃと前記３つの出力端子３ｘ、３ｙ、３ｚとの間を、所定値以上の電流が流れた場合に自動的に遮断する回路遮断部である。勿論、回路遮断部３Ａは、手動により遮断することも可能である。
【００２１】
ブレーカ３の前記３の出力端子３ｘ、３ｙ、３ｚには、前記入力端子３ａ〜３ｃと同様に単相３線式の３線５が接続される。  
例えば、前記出力端子３ｘには接地極線５ａが接続され、前記出力端子３ｙには第１の電源極線５ｂが接続され、前記出力端子３ｚには第２の電源極線５ｃが接続される。
【００２２】
このように、前記ブレーカ３からは、接地極線５ａ、第１の電源極線５ｂおよび第２の電源極線５ｃを有する単相３線式の３線５が導出されるようになっている。
【００２３】
本実施例では、このように、例えばブレーカ３から導出された単相３線式の３線５が、前記開閉装置２に接続される。
【００２４】
次に、開閉装置２の具体的な構成について説明する。  
開閉装置２は、図１に示すように、入力部６と、出力部７と、スイッチ部８と、表示部９とを有して構成される。
【００２５】
入力部６は、ブレーカ３からの単相３線式の３線５が接続される３つの入力端子６ａ、６ｂ、６ｃを有して構成される。  
具体的には、前記入力端子３ａには接地極線５ａが接続され、前記入力端子３ｂには第１の電源極線５ｂが接続され、前記入力端子３ｃには第２の電源極線５ｃが接続される。
【００２６】
出力部７は、前記入力部６の前記３つの入力端子６ａ〜６ｃに接続された前記単相３線式の３線５により得られる１００Ｖおよび２００Ｖを、例えば１００Ｖ用コンセント４Ａおよび２００Ｖ用コンセント４Ｂにそれぞれ出力する１００Ｖ出力用端子７Ａと２００Ｖ出力用端子７Ｂとを有して構成される。
【００２７】
１００Ｖ出力用端子７Ａは、２つの出力端子７ａ１、７ａ２を有して構成される。また、２００Ｖ出力用端子７Ｂは、２つの出力端子７ｂ１、７ｂ２を有して構成される。
【００２８】
前記出力端子７ａ１、７ａ２は、それぞれ接続線１１ａを介して。例えば前記１００Ｖ用コンセント４Ａに接続される。また、前記出力端子７ｂ１、７ｂ２は、それぞれ接続線１１ｂを介して、例えば前記２００Ｖ用コンセント４Ｂに接続される。
【００２９】
なお、前記１００Ｖ用コンセント４Ａと前記２００Ｖ用コンセント４Ｂは、図１に示すように、一つのコンセント本体４内に配置するように構成しても良く、或いはそれぞれ別々に設けて構成しても良い。
【００３０】
次に、前記開閉装置２の内部構成について説明する。  
前記開閉装置２内において、前記入力端子６ａには接続線１０ａが接続され、この接続線１０ａは、表示部９の一方の端子と前記１００Ｖ出力用端子７Ａの出力端子７ａ１に接続される。
【００３１】
前記入力端子６ｂには接続線１０ｂが接続され、この接続線１０ｂは、前記スイッチ部８の入力側端子ａに接続される。このスイッチ部８の出力側端子ｂには接続線１０ｃが接続され、この接続線１０ｃは、前記表示部９の他方の端子と前記１００出力用端子７Ａの出力端子７ｂ２と前記２００Ｖ出力用端子７Ｂの出力端子７ｂ１とに接続される。
【００３２】
また、前記入力端子６ｃには接続線１０ｄが接続され、この接続線１０ｄは、前記２００Ｖ出力用端子７Ｂの出力端子７ａ２に接続される。
【００３３】
前記スイッチ部８は、前記入力部６と前記出力部７との間に接続され、前記出力部７からの前記１００Ｖおよび２００Ｖの出力を、同時にオンまたはオフするスイッチである。
【００３４】
具体的には、このスイッチ部８は、上述したように、入力側端子ａと、出力側端子ｂとを有して構成されている。これらの入力側端子ａと出力側端子ｂは、第１の電源極線５ｂを介して接続される接続線１０ｂ、１０ｃにそれぞれ接続されている。
【００３５】
すなわち、このスイッチ部８は、第１の電源極線５ｂの導通状態をオンまたはオフするスイッチとして構成される。なお、スイッチ部８は、例えば第１の電源極線５ｂの導通状態と第２の電源極線５ｃの導通状態とを、同時にオンまたはオフするように構成しても良い。
【００３６】
表示部９は、前記スイッチ部８がオンされると、発光する表示手段である。なお、この表示部９は、スイッチ部８のオンにより給電がなされた場合に発光するものであれば、どのような表示手段を用いても良い。例えば、表示手段としては、ＬＥＤ等などがある。
【００３７】
このような構成の開閉装置２は、例えば壁スイッチのように、スイッチ機器本体（図示せず）にスイッチ部８を設けて構成される。そして、このスイッチ機器本体上に、前記表示部９が設けられている。
【００３８】
なお、本実施例では、前記開閉装置２とコンセント本体４とを別々に構成したが、例えば、開閉装置２とコンセント本体４とを一体的に設けて構成しても良い。すなわち、開閉装置２に、１００Ｖ用コンセント４Ａおよび２００Ｖ用コンセント４Ｂを設けた構成としても良い。
【００３９】
次に、本実施例の開閉装置２の動作を説明する。なお、予めブレーカ３をオン状態にしたものとして説明する。  
いま、使用者が、開閉装置２のスイッチ部８をオン操作したものとする。
【００４０】
すると、スイッチ部８の入力側端子ａと出力側端子ｂとが導通するので、第１の電源極線５ｂが接続される入力端子６ｂと、２つの出力端子７ａ２、７ｂ１とは導通状態となる。
【００４１】
その後、入力端子６ａと１００Ｖ出力用端子７Ａの出力端子７ａ１とが導通状態にあるため、１００Ｖ出力用端子７Ａには、接地極線５ａと第１の電源極線５ｂとにより１００Ｖが出力される。
【００４２】
そして、供給された１００Ｖは、この１００Ｖ出力用端子７Ａにより、接続線１１ａを介して１００Ｖ用コンセント４Ａに出力される。こうして、１００Ｖ用コンセント４Ａは１００Ｖの電気機器の使用可能状態となる。
【００４３】
同時に、入力端子６ｃと２００Ｖ出力用端子７Ｂの出力端子７ｂ２とが導通状態にあるため、２００Ｖ出力用端子７Ｂには、第１の電源極線５ｂと第２の電源極線５ｃとにより２００Ｖが供給される。
【００４４】
そして、供給された２００Ｖは、この２００Ｖ出力用端子７Ｂにより、接続線１１ｂを介して２００Ｖ用コンセント４Ｂに出力される。こうして、２００Ｖ用コンセント４Ｂは２００Ｖの電気機器の使用可能状態となる。
【００４５】
このとき、開閉装置２の表示部９は、スイッチ部８のオンによって、この表示部９の両端子間に電流が流れることにより、発光して表示する。これにより、使用者に、スイッチ部８がオン状態であり、１００Ｖ用コンセント４Ｂおよび２００Ｖ用コンセント４Ｂが共に使用可能状態である旨を告知することができる。
【００４６】
次に、使用者が、開閉装置２のスイッチ部８をオフ操作したものとする。すると、スイッチ部８の入力側端子ａと出力側端子ｂとが接触しないので、第１の電源極線５ｂが接続される入力端子６ｂと、２つの出力端子７ａ２、７ｂ１とは非導通状態となる。
【００４７】
すると、第１の電源極線５ｂに接続される接続線１０ｂと接続線１０ｃとは、非導通状態となるので、接地極線５ａ側が導通状態であっても、１００Ｖは生じず、すなわち、１００Ｖ出力用端子７Ａには１００Ｖが出力されない。これにより、１００Ｖ用コンセント４Ａは１００Ｖの電気機器の使用が不可能となる。
【００４８】
同時に、入力端子６ｃと２００Ｖ出力用端子７Ｂの出力端子７ｂ２とが非導通状態になるため、第２の電源極線５ｃ側が導通状態であっても、２００Ｖは生じず、すなわち、２００Ｖ出力用端子７Ｂには１００Ｖが出力されない。これにより、２００Ｖ用コンセント４Ｂは２００Ｖの電気機器の使用が不可能となる。
【００４９】
このとき、開閉装置２の表示部９は、スイッチ部８のオフ操作によって、この表示部９の両端子間が非導通状態となることにより、発光を停止する。これにより、使用者に、スイッチ部８がオフ状態であり、１００Ｖ用コンセント４Ｂおよび２００Ｖ用コンセント４Ｂが共に使用不可能な状態である旨を告知することができる。
【００５０】
したがって、使用者が予め前記開閉装置２のスイッチ部８をオフ操作しておけば、１００Ｖ用コンセント４Ａおよび２００Ｖ用コンセント４Ｂを、同時に使用不可能な状態にできるので、外出等により不在になる場合でも盗電されることはなく、また、１００Ｖ用コンセントおよび２００Ｖ用コンセントへの異物の差込等による短絡も防止することが可能となる。
【００５１】
したがって、本実施例によれば、上述した構成により、ブレーカ３を操作することなく、１００Ｖ用コンセント４Ａおよび２００Ｖ用コンセント４Ｂへの給電をオンまたはオフすることができる開閉装置２の実現が可能となる。
【００５２】
なお、本実施例において、前記開閉装置２のスイッチ部８は、１００Ｖ用コンセント４Ｂへの１００Ｖの出力のオンまたはオフと、２００Ｖ用コンセント４Ｂへの２００Ｖの出力のオンまたはオフとを同時に行うように構成したが、それぞれ別々にオンまたはオフするように構成された開閉部を同時にオンまたはオフするスイッチ部を設けて構成しても良い。この場合、表示部９についても、それぞれ２つのスイッチ部に対応させて２つの表示部９を設けて構成しても良い。
【００５３】
本発明は、上述した実施例および変形例に限定されるものではなく、本発明の要旨を変えない範囲において、種々の変更、改変等が可能である。
【符号の説明】
【００５４】
１…配線システム、
２…開閉装置、
３…ブレーカ、
３Ａ…回路遮断部、
４…コンセント本体、
４Ａ…１００Ｖ用コンセント、
４Ｂ…２００Ｖ用コンセント、
５…単相３線式の３線、
５ａ…接地極線、
５ｂ…第１の電源極線、
５ｃ…第２の電源極線、
６…入力部、
６ａ〜６ｃ…入力端子、
７…出力部、
７Ａ…１００出力用端子、
７ａ１、７ａ２…出力端子、
７Ｂ…２００Ｖ出力用端子、
７ｂ１、７ｂ２…出力端子
８…スイッチ部、
９…表示部、
１０ａ〜１０ｄ、１１ａ、１１ｂ…接続線、
【図１】
2011070909.tif 000003